(57)【要約】【課題】  カッター２５の先端軌跡（エンドレスの軌跡）を簡単に調節・変更出来るようにする。【解決手段】  回転軸２９の回転により連結ロッド３２を介してスライド２０を上下摺動させることが出来る。また、連結ロッド３２の揺動により、摺動子５１を介してカッター取付用揺動アーム２３を左右に揺動させることが出来る。即ち、作動装置２６の作動により、スライド２０を摺動させると共にカッター取付用揺動アーム２３を揺動させて、カッター取付用揺動アーム２３に設けられたカッター２５の先端軌跡を、往路と復路とが相違する、正面視で（前壁３に正対する状態で見て）エンドレスの所定形状（図１の一点鎖線Ｂ参照）とすることが出来る。そして、摺動子５１の位置を変更することにより、カッター取付用揺動アーム２３の左右揺動量を変更して、カッター２５の先端軌跡を変更することが出来る。【選択図】  図１
2006026730.tif 000002
【特許請求の範囲】
【請求項１】
機枠の前壁に設けられたファイナル線材ガイドから前壁の前方に設けられた線材加工空間に線材を送り出し、その線材加工空間に送り出された又は送り出されている線材に、線材加工空間に突出する又は突出した状態のツールによって所定の加工を施してばねを製造するばね製造機の線材切断装置において、ファイナル線材ガイドの線材通路の中心線に直交する方向に摺動するようにして前壁に摺動自在に設けられたスライドと、このスライドに軸心を前後方向に向けた枢軸により揺動自在に設けられたカッター取付用揺動アームと、前記スライドを摺動させ且つカッター取付用揺動アームを揺動させる作動装置とを有し、前記作動装置は、枢軸と平行な回転軸と、この回転軸に直接又は間接に設けられた、回転軸の中心から偏心した回転軸と平行な偏心ピンと、この偏心ピンに一端が枢着された連結ロッドと、スライドに偏心ピンと平行に設けられた、連結ロッドの他端が枢着された連結ピンとを有し、前記連結ロッドと、連結ロッドに対向するカッター取付用揺動アームの部分とのいずれか一方に摺動子が設けられ、同他方に、摺動子が幅方向には遊びなく嵌まるガイド通路が形成されたブロック部材が設けられ、前記ガイド通路の一端が偏心ピン側を向き、同他端が枢軸側を向くようになされ、前記摺動子が枢軸との距離を変更出来るように位置変更可能で且つ所定位置でロック可能となされ、前記ブロック部材が左右位置変更自在で且つ所定位置でロック可能となされているばね製造機の線材切断装置。
【請求項２】
機枠の前壁に設けられたファイナル線材ガイドから前壁の前方に設けられた線材加工空間に線材を送り出し、その線材加工空間に送り出された又は送り出されている線材に、線材加工空間に突出する又は突出した状態のツールによって所定の加工を施してばねを製造するばね製造機の線材切断装置において、ファイナル線材ガイドの線材通路の中心線に直交する方向に摺動するようにして前壁に摺動自在に設けられたスライドと、このスライドに軸心を前後方向に向けた枢軸により揺動自在に設けられたカッター取付用揺動アームと、前記スライドを摺動させ且つカッター取付用揺動アームを揺動させる作動装置とを有し、前記作動装置は、枢軸と平行な回転軸と、この回転軸に直接又は間接に設けられた、回転軸の中心から偏心した回転軸と平行な偏心ピンと、この偏心ピンに一端が枢着された連結ロッドと、スライドに偏心ピンと平行に設けられた、連結ロッドの他端が枢着された連結ピンとを有し、前記連結ロッドと、連結ロッドに対向するカッター取付用揺動アームの部分とのいずれか一方に摺動子が設けられ、同他方に、摺動子が幅方向には遊びなく嵌まるガイド通路が形成されたブロック部材が設けられ、前記ガイド通路の一端が偏心ピン側を向き、同他端が枢軸側を向くようになされ、前記摺動子が枢軸との距離を変更出来るように位置変更可能で且つ所定位置でロック可能となされ、前記ブロック部材が軸心を前後方向に向けた支持軸により左右に揺動自在で且つ所定位置でロック可能となされているばね製造機の線材切断装置。
【請求項３】
機枠の前壁に設けられたファイナル線材ガイドから前壁の前方に設けられた線材加工空間に線材を送り出し、その線材加工空間に送り出された又は送り出されている線材に、線材加工空間に突出する又は突出した状態のツールによって所定の加工を施してばねを製造するばね製造機の線材切断装置において、ファイナル線材ガイドの線材通路の中心線に直交する方向に摺動するようにして前壁に摺動自在に設けられたスライドと、このスライドに軸心を前後方向に向けた枢軸により揺動自在に設けられたカッター取付用揺動アームと、前記スライドを摺動させ且つカッター取付用揺動アームを揺動させる作動装置とを有し、前記作動装置は、枢軸と平行な回転軸と、この回転軸に直接又は間接に設けられた、回転軸の中心から偏心した回転軸と平行な偏心ピンと、この偏心ピンに一端が枢着された連結ロッドと、スライドに偏心ピンと平行に設けられた、連結ロッドの他端が枢着された連結ピンとを有し、前記連結ロッドと、連結ロッドに対向するカッター取付用揺動アームの部分とのいずれか一方に摺動子が設けられ、同他方に、摺動子が幅方向には遊びなく嵌まるガイド通路が形成されたブロック部材が設けられ、前記ガイド通路の一端が偏心ピン側を向き、同他端が枢軸側を向くようになされ、前記摺動子が、枢軸との距離を変更出来るように位置変更可能となされると共に左右方向にも位置変更可能となされ、且つ、所定位置でロック可能となされているばね製造機の線材切断装置。
【発明の詳細な説明】
【技術分野】
【０００１】
本発明はばね製造機の線材切断装置に関する。
【背景技術】
【０００２】
従来、この種の線材切断装置として以下の如きものは知られている。
機枠の前壁に設けられたファイナル線材ガイドから前壁の前方に設けられた線材加工空間に線材を送り出し、その線材加工空間に送り出された又は送り出されている線材に、線材加工空間に突出する又は突出した状態のツールによって所定の加工を施してばねを製造するばね製造機の線材切断装置であって、ファイナル線材ガイドの線材通路の中心線に直交する方向に摺動するようにして前壁に摺動自在に設けられたスライドと、このスライドに軸心を前後方向に向けた枢軸により揺動自在に設けられたカッター取付用揺動アームと、スライドを摺動させ且つカッター取付用揺動アームを揺動させる作動装置とを有するものは知られている。
前記線材切断装置は、作動装置により、スライドを摺動させると共にカッター取付用揺動アームを揺動させて、カッター取付用揺動アームに設けられたカッターの先端軌跡を、往路と復路とが相違する、正面視で（前壁に正対する状態で見て）エンドレスの所定形状とすることが出来るものである。
【特許文献１】特公平８−１５，６３５号公報
【特許文献２】特公平７−１１５，１０１号公報
【発明の開示】
【発明が解決しようとする課題】
【０００３】
前記従来の線材切断装置には以下の如き欠点があった。
ばねとなる線材の切断において、「ばり」が出ないように線材を切断するには、線材の素材や線材の直径等を勘案して、カッターの先端軌跡（エンドレスの軌跡）を調節・変更することが必要であるが、従来の線材切断装置は、その調節・変更を簡単に行うことが出来ないという欠点があった。
【課題を解決するための手段】
【０００４】
本発明は前記欠点を解消するために以下の如き手段を採用した。
（１）請求項１の発明は、機枠の前壁に設けられたファイナル線材ガイドから前壁の前方に設けられた線材加工空間に線材を送り出し、その線材加工空間に送り出された又は送り出されている線材に、線材加工空間に突出する又は突出した状態のツールによって所定の加工を施してばねを製造するばね製造機の線材切断装置において、ファイナル線材ガイドの線材通路の中心線に直交する方向に摺動するようにして前壁に摺動自在に設けられたスライドと、このスライドに軸心を前後方向に向けた枢軸により揺動自在に設けられたカッター取付用揺動アームと、前記スライドを摺動させ且つカッター取付用揺動アームを揺動させる作動装置とを有し、前記作動装置は、枢軸と平行な回転軸と、この回転軸に直接又は間接に設けられた、回転軸の中心から偏心した回転軸と平行な偏心ピンと、この偏心ピンに一端が枢着された連結ロッドと、スライドに偏心ピンと平行に設けられた、連結ロッドの他端が枢着された連結ピンとを有し、前記連結ロッドと、連結ロッドに対向するカッター取付用揺動アームの部分とのいずれか一方に摺動子が設けられ、同他方に、摺動子が幅方向には遊びなく嵌まるガイド通路が形成されたブロック部材が設けられ、前記ガイド通路の一端が偏心ピン側を向き、同他端が枢軸側を向くようになされ、前記摺動子が枢軸との距離を変更出来るように位置変更可能で且つ所定位置でロック可能となされ、前記ブロック部材が左右位置変更自在で且つ所定位置でロック可能となされているものである。
（２）請求項２の発明は、機枠の前壁に設けられたファイナル線材ガイドから前壁の前方に設けられた線材加工空間に線材を送り出し、その線材加工空間に送り出された又は送り出されている線材に、線材加工空間に突出する又は突出した状態のツールによって所定の加工を施してばねを製造するばね製造機の線材切断装置において、ファイナル線材ガイドの線材通路の中心線に直交する方向に摺動するようにして前壁に摺動自在に設けられたスライドと、このスライドに軸心を前後方向に向けた枢軸により揺動自在に設けられたカッター取付用揺動アームと、前記スライドを摺動させ且つカッター取付用揺動アームを揺動させる作動装置とを有し、前記作動装置は、枢軸と平行な回転軸と、この回転軸に直接又は間接に設けられた、回転軸の中心から偏心した回転軸と平行な偏心ピンと、この偏心ピンに一端が枢着された連結ロッドと、スライドに偏心ピンと平行に設けられた、連結ロッドの他端が枢着された連結ピンとを有し、前記連結ロッドと、連結ロッドに対向するカッター取付用揺動アームの部分とのいずれか一方に摺動子が設けられ、同他方に、摺動子が幅方向には遊びなく嵌まるガイド通路が形成されたブロック部材が設けられ、前記ガイド通路の一端が偏心ピン側を向き、同他端が枢軸側を向くようになされ、前記摺動子が枢軸との距離を変更出来るように位置変更可能で且つ所定位置でロック可能となされ、前記ブロック部材が軸心を前後方向に向けた支持軸により左右に揺動自在で且つ所定位置でロック可能となされているものである。
（３）請求項３の発明は、機枠の前壁に設けられたファイナル線材ガイドから前壁の前方に設けられた線材加工空間に線材を送り出し、その線材加工空間に送り出された又は送り出されている線材に、線材加工空間に突出する又は突出した状態のツールによって所定の加工を施してばねを製造するばね製造機の線材切断装置において、ファイナル線材ガイドの線材通路の中心線に直交する方向に摺動するようにして前壁に摺動自在に設けられたスライドと、このスライドに軸心を前後方向に向けた枢軸により揺動自在に設けられたカッター取付用揺動アームと、前記スライドを摺動させ且つカッター取付用揺動アームを揺動させる作動装置とを有し、前記作動装置は、枢軸と平行な回転軸と、この回転軸に直接又は間接に設けられた、回転軸の中心から偏心した回転軸と平行な偏心ピンと、この偏心ピンに一端が枢着された連結ロッドと、スライドに偏心ピンと平行に設けられた、連結ロッドの他端が枢着された連結ピンとを有し、前記連結ロッドと、連結ロッドに対向するカッター取付用揺動アームの部分とのいずれか一方に摺動子が設けられ、同他方に、摺動子が幅方向には遊びなく嵌まるガイド通路が形成されたブロック部材が設けられ、前記ガイド通路の一端が偏心ピン側を向き、同他端が枢軸側を向くようになされ、前記摺動子が、枢軸との距離を変更出来るように位置変更可能となされると共に左右方向にも位置変更可能となされ、且つ、所定位置でロック可能となされているものである。
【発明の効果】
【０００５】
本発明は前記した如き構成によって以下の如き効果を奏する。
（１）請求項１〜３の発明によれば、枢軸からの摺動子の位置を変更することにより、カッターの先端軌跡（エンドレスの軌跡）を簡単に調節・変更することが出来る。
（２）請求項１の発明によれば、ブロック部材の左右の位置調節を行うことにより、カッターの先端軌跡を、線材切断に好適なように簡単に左右にずらすことが出来る。
（３）請求項２の発明によれば、ブロック部材の自由端の左右の位置調節を行うことにより、カッターの先端軌跡を、線材切断に好適なように簡単に左右にずらすことが出来る。
（４）請求項３の発明によれば、摺動子の左右の位置調節を行うことにより、カッターの先端軌跡を、線材切断に好適なように簡単に左右にずらすことが出来る。
【発明を実施するための最良の形態】
【０００６】
以下に、２つの、本発明の実施の形態を説明する。
なお、これらの説明において同一の部材は同一の符号で示す。
【０００７】
［第１の実施の形態］（図１〜図４参照）
なお、この説明において、前とは図１紙面表側を、後とは同裏側をいい、左とは図１左側を、右とは同図右側をいう。
【０００８】
ばね製造機１は、垂直な前壁３を有する機枠２と、この機枠２の前壁３の前方に形成された線材加工空間５と、この線材加工空間５に向かって送り出される線材Ｗが通過する線材通路７を有すると共に前壁３に設けられたファイナル線材ガイド６と、このファイナル線材ガイド６の、線材加工空間５と逆側において前壁３に回転自在に設けられた、線材Ｗを挟圧しつつ送り出す少なくとも一対の線材送りローラー９と、前記線材加工空間５を挾んでファイナル線材ガイド６に対向すると共に前壁３に線材加工空間５に対して進退自在に設けられた第１曲げダイス用スライド１０と、前記線材加工空間５を挾んでファイナル線材ガイド６に対向すると共に前壁３に線材加工空間５に対して進退自在に設けられた第２曲げダイス用スライド１１とを有している。なお、第１曲げダイス用スライド１０及び第２曲げダイス用スライド１１の位置は、公知の作動装置（図示略）によって位置調節される。
【０００９】
前記ファイナル線材ガイド６と線材送りローラー９との間等に位置するようにして、補助線材ガイド８が前壁３に設けられている。
【００１０】
前記第１曲げダイス用スライド１０の、線材加工空間５側の端部に第１曲げダイス１３が取り付けられ、前記第２曲げダイス用スライド１１の、線材加工空間５側の端部に第２曲げダイス１４が取り付けられている。
【００１１】
前記線材加工空間５に位置するようにして、前壁３に芯金１５が前方突出するようにして設けられている。芯金１５は、正面視において、第１曲げダイス１３及び第２曲げダイス１４側に凸の円弧面１５ａと、ファイナル線材ガイド６側の垂直面１５ｂと、垂直面１５ｂの上端と円弧面１５ａの上端とを繋ぐ、ファイナル線材ガイド６側に向かって下り傾斜の傾斜面１５ｃとを有している。
【００１２】
周知のごとく、ファイナル線材ガイド６から送り出された線材Ｗは、第１曲げダイス１３、第２曲げダイス１４によって、湾曲させられる。
【００１３】
前記線材加工空間５の上方に位置するようにして、前壁３に、線材切断装置１８が設けられている。
前記線材切断装置１８は、前壁３に設けられた長手方向を上下方向に向けたガイドレール１９に案内されて、ファイナル線材ガイド６の線材通路７の中心線に直交する方向に摺動自在となされたスライド２０と、このスライド２０に軸心を前後方向に向けた枢軸２２により揺動自在に設けられたカッター取付用揺動アーム２３と、前記スライド２０を摺動させ且つカッター取付用揺動アーム２３を揺動させる作動装置２６とを有している。
【００１４】
前記カッター取付用揺動アーム２３は、下側部２３ａと、この下側部２３ａにボルト２４Ａ等の公知の連結手段により連結された上側部２３ｂとを有している。前記下側部２３ａの、線材加工空間５側の端にはカッター２５が取り付けられている。
【００１５】
前記作動装置２６は、前壁３の後面に、正逆回転自在な回転軸２９の軸心を前後方向に向けるようにして、即ち、枢軸２２と平行となるようにして、取り付けられたモーター２８を有している。図２に示すごとく、前記回転軸２９は前壁３を貫通して前壁３の前方に突出しており、この回転軸２９の前端に円盤３０が取り付けられ、この円盤３０に回転軸２９の中心から偏心した位置に位置するようにして、偏心ピン３１が回転軸２９と平行となるようにして設けられている。
【００１６】
前記偏心ピン３１に連結ロッド３２が枢着され、この連結ロッド３２の他端が、スライド２０に偏心ピン３１と平行に設けられた連結ピン３３に枢着されている。
【００１７】
前記連結ロッド３２に、後述の摺動子５１が幅方向には遊びなく嵌まるガイド通路３６が形成されたブロック部材３７が、以下に詳述する手段により、左右位置変更自在で且つ所定位置でロック可能に設けられている。前記ガイド通路３６の一端が偏心ピン３１側を向き、同他端が枢軸２２側を向くようになされている。図３及び図４に示すごとく、前記連結ロッド３２には長手方向を左右方向に向けたガイドレール３８が設けられ、このガイドレール３８に沿ってブロック部材３７が僅かに左右動するようになされている。そして、ブロック部材３７には左右方向に長い２つの長孔３９が前後方向に貫通するようにして形成され、これら長孔３９を通じてボルト２４が、ブロック部材３７に形成されたねじ孔にねじ嵌められている。また、連結ロッド３２には左右一対の張出片４０が設けられ、これら張出片４０の間にブロック部材３７が位置するようになされている。前記張出片４０には、ブロック部材３７に対向する軸心を左右方向に向けたねじ孔４２が形成され、これらねじ孔４２にボルト２４がねじ嵌められ、これらボルト２４の先端がブロック部材３７に突き当たるようになされている。
【００１８】
このような構成により、ボルト２４を緩めて、ブロック部材３７の、連結ロッド３２に対する位置を調節した後、ボルト２４を締め付けて、ブロック部材３７をロックすることが出来る。
【００１９】
前記カッター取付用揺動アーム２３の上側部２３ｂ（ブロック部材３７に対向する、カッター取付用揺動アーム２３の部分）に、前後方向に貫通したスリット４５が形成されている。このスリット４５の一端は偏心ピン３１側を向き、同他端が枢軸２２側を向いている。スリット４５と平行となるかたちで、ねじ４６が上側部２３ｂに回転自在に設けられ、このねじ４６に雌ねじ体４７がねじ嵌められている。前記雌ねじ体４７の前部にねじ４８が設けられ、このねじ４８にナット４９がねじ嵌められている。また、前記雌ねじ体４７の後部に軸心を前後方向に向けたピン５０が突設され、このピン５０に摺動子５１が回転自在に嵌められている。そして、前記摺動子５１が、ガイド通路３６に幅方向には遊びなく、且つ、ガイド通路３６に沿って移動可能に嵌められている。
【００２０】
このような構成により、ナット４９を緩めた状態で、ねじ４６を回転させることにより、雌ねじ体４７（摺動子５１）の位置を変更することが出来る。なお、ピン５０（摺動子５１）が一番下側に移動した状態で、ピン５０の中心は、連結ピン３３の中心と一致するようになされている。そして、ナット４９を締め付けることにより、雌ねじ体４７（摺動子５１）をロックすることが出来る。
【００２１】
前記のような構成により、回転軸２９の回転（図１における矢印Ａの方向の回転）により連結ロッド３２を介してスライド２０を上下摺動させることが出来る。また、連結ロッド３２の揺動により、摺動子５１を介してカッター取付用揺動アーム２３を左右に揺動させることが出来る。即ち、作動装置２６の作動により、スライド２０を摺動させると共にカッター取付用揺動アーム２３を揺動させて、カッター取付用揺動アーム２３に設けられたカッター２５の先端軌跡を、往路と復路とが相違する、正面視で（前壁３に正対する状態で見て）エンドレスの所定形状（図１の一点鎖線Ｂ参照）とすることが出来る。そして、摺動子５１の位置を変更することにより、カッター取付用揺動アーム２３の左右揺動量を変更して、カッター２５の先端軌跡を変更することが出来る。なお、摺動子５１の中心と連結ピン３３の中心とを一致させれば、カッター取付用揺動アーム２３は全く揺動しない。
【００２２】
［第２の実施の形態］（図５〜図８参照）
なお、この説明において、前とは図５紙面表側を、後とは同裏側をいい、左とは図５左側を、右とは同図右側をいう。
【００２３】
ガイド通路３６を有するブロック部材３７は、軸心を前後方向に向けた支持軸５４を介して、連結ロッド３２に左右揺動自在に設けられている。図７及び図８に示すごとく、連結ロッド３２には左右一対の張出片４０が設けられ、これら張出片４０の間にブロック部材３７が位置するようになされている。また、張出片４０には、ブロック部材３７が前方に浮き上がるのを防止する押さえ片５７が設けられている。前記張出片４０のねじ孔４２にはボルト２４がねじ嵌められている。このような構成により、ボルト２４を緩めた状態で、ブロック部材３７を左右に揺動させて、ブロック部材３７の、連結ロッド３２に対する位置を調節した後、ボルト２４を締め付けて、ブロック部材３７をロックすることが出来る。
【００２４】
前記スリット４５に沿って摺動部材６１が摺動自在に設けられている。前記摺動部材６１は、ガイド通路３６にその幅方向の遊びなく嵌まる摺動子５１と、摺動子５１の前部に設けられたフランジ６２と、フランジ６２に前方突出状に設けられた、スリット４５に嵌まる移動片６３と、移動片６３の前端部を覆うキャップ６４と、キャップ６４に形成された前後方向に貫通する貫通孔を通じて移動片６３に形成されたねじ孔にねじ嵌められるボルト６５とを有している。
【００２５】
前記カッター取付用揺動アーム２３の上側部２３ｂに上下一対の張出片６８が設けられ、これら張出片６８の間にキャップ６４が位置するようになされている。そして、前記張出片６８には、キャップ６４に対向する軸心を上下方向に向けたねじ孔６９が形成され、これらねじ孔６９にボルト２４がねじ嵌められ、これらボルト２４の先端がキャップ６４に突き当たるようになされている。
【００２６】
このような構成により、ボルト６５、２４を緩めて、摺動部材６１の、上側部２３ｂに対する位置を調節した後、ボルト６５、２４を締め付けて、摺動部材６１をロックすることが出来る。
【００２７】
以下に変形例等について説明を加える。
（１）摺動子５１を連結ロッド３２にその長手方向に沿って位置変更可能に設け、カッター取付用揺動アーム２３の上側部２３ｂに、ガイド通路３６を有するブロック部材３７を実施の形態のような構造で、設けるようにしてもよい。
（２）カッター取付用揺動アーム２３の上側部２３ｂ（摺動子５１を有する部材）を、下側部２３ａに対して左右位置変更自在で且つ所定位置でロック可能としてもよい。また、カッター取付用揺動アーム２３の上側部２３ｂ（摺動子５１を有する部材）を、下側部２３ａに軸心を前後方向に向けた支持軸により揺動自在で且つ所定位置でロック可能としてもよい。このようにすることにより、摺動子５１を左右方向に位置変更可能で且つロック可能とすることが出来る。
（３）ツールには、曲げダイス、成形ツール等が含まれる。
【図面の簡単な説明】
【００２８】
【図１】本発明の第１の実施の形態を示す要部正面図である。
【図２】図１のＩＩ−ＩＩ線断面図である。
【図３】図２のＩＩＩ−ＩＩＩ線断面図である。
【図４】図３のＩＶ−ＩＶ線断面図である。
【図５】本発明の第２の実施の形態を示す要部正面図である。
【図６】図５のＶＩ−ＶＩ線断面図である。
【図７】図５のＶＩＩ−ＶＩＩ線に沿う一部省略の断面図である。
【図８】図７のＶＩＩＩ−ＶＩＩＩ線断面図である。
【符号の説明】
【００２９】
１  ばね製造機
２  機枠
３  前壁
５  線材加工空間
６  ファイナル線材ガイド
７  線材通路
９  線材送りローラー
１８  線材切断装置
２０  スライド
２２  枢軸
２３  カッター取付用揺動アーム
２３ａ  下側部
２３ｂ  上側部
２５  カッター
２６  作動装置
２８  モーター
２９  回転軸
３０  円盤
３１  偏心ピン
３２  連結ロッド
３３  連結ピン
３６  ガイド通路
３７  ブロック部材
５１  摺動子
【図１】
2006026730.tif 000003
【図２】
2006026730.tif 000004
【図３】
2006026730.tif 000005
【図４】
2006026730.tif 000006
【図５】
2006026730.tif 000007
【図６】
2006026730.tif 000008
【図７】
2006026730.tif 000009
【図８】
2006026730.tif 000010